(57)【要約】【課題】従来のネイルアート用ピンセットに人工爪や爪装飾用シールなどを圧着するためのゴム素材を一体にすることで、ネイルアートの施術において生じる作業工程の手間が解消できる。【解決手段】人工爪や爪装飾用シールなどをつかみレイアウトするピンセットとそれを圧着するためのゴム素材を一体にする。このゴム素材は、人工爪や爪装飾用シールなどを爪にしっかりと貼り付けるため、圧着面を鋭角に傾斜させる。【選択図】図１
2013236882.tif 000002
【特許請求の範囲】
【請求項１】
人工爪や爪装飾用シールなどをつかみレイアウトするピンセットとそれを圧着するためのゴム素材が一体になったネイルアート用ピンセット。
【請求項２】
第１項においての圧着用ゴム素材は、人工爪や爪装飾用シールなどを爪にしっかりと貼り付けるため、圧着面を鋭角に傾斜させていることが特徴のネイルアート用ピンセット。
【発明の詳細な説明】
【技術分野】
【０００１】本発明は、ネイルアートの施術において作業工程の手間を解消するためのネイルアート用ピンセットに関するものである。特徴は従来のネイルアート用ピンセットに人工爪や爪装飾用シールなどを圧着するゴム素材を一体にしたことである。これによりピンセットで人工爪や爪装飾用シールなどを爪にレイアウトした後、反対側に設置したゴム素材でしっかりと貼り付けることができる。
【背景技術】
【０００２】ネイルアートとは、手足の爪に施す化粧や装飾の事である。小さな人工宝石を飾ったり、模様を描いたり、シールを貼ったりするおしゃれであり、付け爪をしたりもするものである。【０００３】現代美容業界の発展に伴い、アメリカを中心にネイル美容への関心が日々高まっており、最近では日本と韓国を中心にアジアでも注目されている。現在はネイルケアのためのネイル美容が、１０・２０代の若者に広がり、ファッションや流行の対象となっている。このニーズに応じて様々な施術がネイルアートに利用されている。
以下がネイルアートの種類である。
１．フリーハンドペイント：一般的にネイルポリッシュ（ネイルエナメル）を手足の爪に塗り、その上にアクリル塗料を使って絵を描く施術である。
２．フレンチネイル：一般的に爪先（フリーエッジ）をホワイトに塗る施術である。アートでもスカルプチャーでも作り上げることができる。最近ではホワイトのみならずさまざまなカラーを先端に用いるカラーフレンチも人気。また、濃い色をネイルプレート部分に持ってくることを「逆フレンチ」などとも呼ばれる。
３．ネイルシール：さまざまな模様がある爪専用の薄いシールを爪の上にはる施術である。各メーカーによって使い方は異なるが爪の上にはり、トップコートで保護するのが一般的。
４．マーブル：ネイルアートの一種で２色のネイルカラーを混ぜ合わせてデザインすることである。
５．エアブラシ：圧縮空気を用いて、絵の具を霧状にして吹き付け、濃淡の調子を表す、また模様を描く施術である。
６．他にはネイルストーン（ラインストーン）、ネイルピアスなどで施術することもある。
※ネイルストーン（ラインストーン）
ネイルアートに用いるキラキラとした石のこと。さまざまな色があり、トップコートで簡単につけられるのでアマチュアでも簡単にネイルアートが楽しめる。
※ネイルピアス
爪に穴を開けて付ける飾り。ネイルチップやスカルプチュア（付け爪）に付けて使用する。【０００４】ネイルアートは初心者にはその施術が難しく、ネイルサロンで専門家のネイリストが施してくれるのが一般的。多くのネイルアートの施術は手作業のため時間がかかるまた模様描きに失敗した場合は直すのに手間がかかるなどの欠点があった。
その欠点を解消しようと自販機タイプのネイルアート装置も開発されたが、高価で設置場所に制限があり、誰でも簡単に使うことができなかった。
最近では、直接・簡単に施術できるパッド印刷方式のネイルアートの技術が開発され、ネイルアート器具が発売された。（韓国登録特許第１０−４８５９２８号″ネイルアート器具とそのネイルアート方法″と韓国の登録実用第２０−３８５７３８号″ネイルアート器具″）しかし、施術する前に模様の原型を刻印することが必要で、それを手足の爪に写す手間がかかり、模様を原型通りに写すのが難しい、また作業工程の手間や手順の複雑さが欠点であった。
【発明の概要】
【発明が解決しようとする課題】
【０００５】解決しようとする問題点は、ネイルアートの施術において生じる作業工程の手間である。
【課題を解決するための手段】
【０００６】本発明は、ネイルアートの施術において生じる作業工程の手間を解消するため、従来のネイルアート用ピンセットに人工爪や爪装飾用シールなどを圧着するゴム素材を一体にすることを特徴とする。
【発明の効果】
【０００７】本発明のネイルアート用ピンセットは、人工爪や爪装飾用シールなどを圧着するゴム素材が一体になったことにより、従来のピンセットの機能である人工爪や爪装飾用シールをつかんで爪にレイアウトすることだけではなく、反対側に設置したゴム素材にてしっかりと貼り付ける工程まで容易に施術することができるという利点がある。
【図面の簡単な説明】
【０００８】
【図１】本発明の構成図である。
【図２】本発明の断面図である。
【図３】本発明の実施方法を示した説明図である。（末端のゴム素材にて圧着する側面図）
【図４】本発明の実施方法を示した説明図である。（実施例−ピンセット本体にて爪装飾用シールを保護フィルムから分離する）
【図５】本発明の実施方法を示した説明図である。（実施例−図４のつかんだ爪装飾用シールを爪にレイアウトする）
【図６】本発明の実施方法を示した説明図である。（実施例−図５のレイアウトした爪装飾用シールを反対側のゴム素材にて圧着する）
【発明を実施するための形態】
【０００９】本発明の実施例を添付図面を参照し、詳細に説明する。
まず、各図面の構成要素に参照符号を付加するにあたり、同じ構成要素に対しては他の図面上に表示されても、可能な限り同じ符号を付加するようにしている。
また、本発明を説明するにあたり、関連する通知機能や構成についての具体的な説明が本発明の要旨に不必要な場合には、その詳細説明を省略する。そして後述する用語は、本発明における機能を説明するために用いたもので、生産者の意図や通例によってはその定義は異なる場合もある。後述する用語の定義は、本明細書全体の内容に基づいている。
【００１０】本発明は、ピンセット本体部（１００）と人工爪や爪装飾用シールなどを圧着するゴム素材（２００）で構成されている。
ピンセット本体部（１００）は、弾性材質で爪装飾用シールを容易に保護フィルムから取ってつかむためのものである。また、ゴム素材の結合用支持体（１１０）、この支持体とゴム素材が一体になった結合部分であり、弾性があって広がった状態を維持し、人工爪や爪装飾用シールなどをつかむことができるくさび形把持部（１２０）に形成されている。
圧着用ゴム素材は、ピンセット本体部（１００）の支持体（１１０）と一体になっており、一面は鋭角に傾斜している。この斜面は、爪装飾用シール（１０）を爪の表面の隅々まで容易に圧着するように設計されている。
【００１１】本発明の使用方法は、次のとおりである。
まず、本発明のネイルアート用ピンセットと爪装飾用シールを準備する。
本発明は、ピンセット本体（１００）に斜面（２１０）を持つゴム素材（２００）が付着された状態である。そのピンセット本体は、Ｖ字形支持体（１１０）とくさび形把持部（１２０）が一体に形成されている。
一般的に爪装飾用シール（１０）は接着面があり、保護フィルム（２０）に付着された状態なのでピンセット本体（１００）のくさび形把持部（１２０）を利用してＶ字形支持体（１１０）で爪装飾用シール（１０）をつかみ、保護フィルム（２０）から分離させる。爪につかんだ爪装飾用シール（１０）をレイアウトした後、ピンセット本体（１００）を１８０度回転させ、くさび形把持部（１２０）を指でつかみ、圧着用ゴム素材（２００）を爪の先に位置させる。ゴム素材（２００）にて爪装飾用シール（１０）を圧着する。このゴム素材（２００）はピンセット本体（１００）を固定させて爪の表面の隅々まで容易に爪装飾用シール（１０）を圧着することができるように圧着斜面（２１０）が鋭角に設計されている。
【符号の説明】
【００１２】  １０  爪装飾用シール
２０  保護フィルム
１００  ピンセット本体部
１１０  圧着用ゴム素材と一体になった支持体
１２０  くさび形把持部
２００  圧着用ゴム素材
２１０  ゴム素材の圧着斜面
【図１】
2013236882.tif 000003
【図２】
2013236882.tif 000004
【図３】
2013236882.tif 000005
【図４】
2013236882.tif 000006
【図５】
2013236882.tif 000007
【図６】
2013236882.tif 000008